(57)【要約】【課題】ソーラーパネルと発光体とを別体に構成することにより、発光体が発する光の照射方向を自由に変えることができるものとし、また、発光体自身の小型化を実現したソーラー式家庭用ライトを提供する。【解決手段】本発明に係るソーラー式家庭用ライトは、太陽の光を受けて発電するソーラーパネル１と、このソーラーパネル１で発電された電力により点灯する発光体２を備え、ソーラーパネル１と発光体２とを、別体に構成している。また、ソーラーパネル１は、周辺の照度を感知するセンサー４を備えている。さらに、ソーラーパネル１は、発光体２の点灯を制御する制御ユニット５を備えている。一方、発光体２は、ＬＥＤ（発光ダイオード）である。また、ソーラーパネル１に接続されている発光体２のいずれか一つに、周辺の照度を感知するセンサー９を備えている。【選択図】　　　　　図１
2004022421.tif 000002
【特許請求の範囲】
【請求項１】
太陽の光を受けて発電するソーラーパネルと、このソーラーパネルで発電された電力により点灯する発光体を備え、ソーラーパネルと発光体とを、別体に構成したことを特徴とするソーラー式家庭用ライト。
【請求項２】
ソーラーパネルは、発電された電力を蓄える蓄電池を備えている請求項１に記載のソーラー式家庭用ライト。
【請求項３】
ソーラーパネルは、周辺の照度を感知するセンサーを備えている請求項１または２に記載のソーラー式家庭用ライト。
【請求項４】
ソーラーパネルは、発光体の点灯を制御する制御ユニットを備えている請求項１乃至３のいずれかに記載のソーラー式家庭用ライト。
【請求項５】
発光体は、ＬＥＤ（発光ダイオード）である請求項１に記載のソーラー式家庭用ライト。
【請求項６】
発光体を、複数備えている請求項１または５に記載のソーラー式家庭用ライト。
【請求項７】
発光体のいずれか一つに、周辺の照度を感知するセンサーを備えている請求項１、請求項５または６のいずれかに記載のソーラー式家庭用ライト。
【発明の詳細な説明】
【０００１】
【発明の属する技術分野】
本発明は、一般家庭における屋外や屋内等に設置して使用される、ソーラー式家庭用ライトに関するものである。
【０００２】
【従来の技術】
従来より、一般家庭において使用されるソーラー式ライトとして、種々の構造のものが提案されている。このソーラー式ライトとしては、例えば、図３に示すように、家の庭等に円形板状のスタンド部材１００を固定し、このスタンド部材１００の中央に突き出すように設けた雄ネジ部１０１に、ライト１０２を固定するものである。このライト１０２は、円柱状の点灯ガラス面１０３を備え、点灯ガラス面１０３の上端部・中間部・下端部の夫々に、円形状の傘１０４ａ・１０４ｂ・１０４ｃを配設している。そして、スタンド部材１００の雄ネジ部１０１に、ライト１０２の下端部に設けた雌ネジ孔１０５を捩じ込んで、スタンド部材１００にライト１０２を固定するものである。
【０００３】
また、ライト１０２の上端部に配設した傘１０４ａの天面部には、例えば、四角形状のソーラーパネル１０６が設置されている。このソーラーパネル１０６は、昼間に太陽の光を受けて発電する機能を備えている。そして、この発電した電力を利用して、ライト１０２の点灯ガラス面１０３を夜間に点灯させるのである。
【０００４】
【発明が解決しようとする課題】
しかしながら、この様に構成された従来のソーラー式ライトは、点灯ガラス面１０３の上端部に、ソーラーパネル１０６を備えた傘１０４ａが配設されていることから、ライト１０２の点灯ガラス面１０３が、自ずと傘１０４ａの下方に位置することになる。
【０００５】
その結果、点灯ガラス面１０３が発する光の照射方向は、傘１０４ａよりも若干下向きとなるか、或いは、水平方向にならざるを得ず、光の照射方向に制約が加えられていた。すなわち、点灯ガラス面１０３の上方に傘１０４ａが存在することから、点灯ガラス面１０３が発する光の照射方向が、上向きとなることがなかったのである。
【０００６】
また、円柱状の点灯ガラス面１０３と、ソーラーパネル１０６を備えた傘１０４ａが一体的に構成されているため、ライト１０２自体が、比較的に大きなものになっていた。
【０００７】
そこで本発明は、叙上のような従来存した問題点に鑑み創出されたもので、ソーラーパネルと発光体とを別体に構成することにより、発光体が発する光の照射方向を自由に変えることができるものとし、また、発光体自身の小型化を実現したソーラー式家庭用ライトを提供することを目的としたものである。
【０００８】
【課題を解決するための手段】
このため、本発明に係るソーラー式家庭用ライトは、太陽の光を受けて発電するソーラーパネルと、このソーラーパネルで発電された電力により点灯する発光体を備え、ソーラーパネルと発光体とを、別体に構成したことで、上述した課題を解決した。
【０００９】
また、ソーラーパネルは、発電された電力を蓄える蓄電池を備えていることで、同じく上述した課題を解決した。
【００１０】
さらに、ソーラーパネルは、周辺の照度を感知するセンサーを備えていることで、同じく上述した課題を解決した。
【００１１】
また、ソーラーパネルは、発光体の点灯を制御する制御ユニットを備えていることで、同じく上述した課題を解決した。
【００１２】
加えて、発光体は、ＬＥＤ（発光ダイオード）であることで、同じく上述した課題を解決した。
【００１３】
また、発光体を、複数備えていることで、同じく上述した課題を解決した。
【００１４】
この他、発光体のいずれか一つに、周辺の照度を感知するセンサーを備えていることで、同じく上述した課題を解決した。
【００１５】
【発明の実施の形態】
以下に、図面を参照して本発明の一実施の形態を説明する。本発明に係るソーラー式家庭用ライトは、図１・図２に示すように、太陽の光を受けて発電するソーラーパネル１と、このソーラーパネル１で発電された電力により点灯する発光体２を備えている。そして、図１に示すように、ソーラーパネル１と発光体２とを別体に構成し、電線３を介してソーラーパネル１と発光体２を電気的に接続している。
【００１６】
ソーラーパネル１は、太陽の光エネルギーを電気エネルギーに変換する素子である、例えば、単結晶シリコン・多結晶シリコン・アモルファスシリコン等を用いたソーラーセルを使用している。また、ソーラーパネル１は、発電された電力を蓄える蓄電池を備えている（図示せず）。そして、ソーラーパネル１は、例えば、縦横の長さを約５ｃｍの大きさに形成したときには、太陽の光を約８時間受けることで、発光体２を長時間点灯させるのに充分な電力を発電し、これを蓄えることができる。
【００１７】
この様に構成されたソーラーパネル１は、例えば、一般家庭における園芸用のフェンスＰ等に固定するために、所定のスタンド部材７を備えている。スタンド部材７は、園芸用のフェンスＰの手摺等を挟持して着脱自在に固定されるよう、図１・図２に示すように、所定の長さと幅を有する板材が、略逆Ｕ字型となるように形成されている。また、スタンド部材７を可撓性材料を用いて作成したときは、手摺の幅等に応じて板材が拡開し、手摺にスタンド部材７を簡単に固定できる。そして、ソーラーパネル１とスタンド部材７は、フレキシブルアーム６を介して連結されている。このフレキシブルアーム６は、ソーラーパネル１が太陽の光を受け易い方向を向くように、前後・左右・上下方向のいずれにも屈曲可能となっている。また、ソーラーパネル１に接続されている電線３は、図１に示すように、フレキシブルアーム６の内部を通ってスタンド部材７の左右何れかの端部から外部に引き出され、発光体２に接続されている。
【００１８】
この他、ソーラーパネル１は、周辺の照度を感知するために、図２に示すように、例えば、高感度露光計等を用いたセンサー４を備えている。さらに、ソーラーパネル１は、種々の条件に基づいて発光体２の点灯を自動的に制御する制御ユニット５を備えている。
【００１９】
尚、ソーラーパネル１の形状は、図１に示す四角形状に限定されることはなく、太陽の光を受けて発電できるものであれば、どの様な形状であっても良い。また、ソーラーパネル１を所定の場所に固定する手段も、図１に示すスタンド部材７を用いたものに限定されることはなく、例えば、所定の場所にソーラーパネル１をボルト止めする等、どの様な手段を用いても良い。
【００２０】
さらに、図１に示すソーラーパネル１は、一般家庭における園芸用のフェンスＰに取り付けられているが、これに限定されることはない。例えば、家の屋根や外壁面等、日当りが良くて太陽の光を充分に受けることができれば、どの様な場所にソーラーパネル１を設置するものであっても良い。同様に、太陽の光を充分に受けることができれば、室内にソーラーパネル１を設置することも可能である。
【００２１】
一方、ソーラーパネル１に接続されている発光体２は、例えば、図１に示すように、植物Ｆを照らすことで、一般家庭における園芸用の敷地をライトアップするのに用いられる。この発光体２としては、赤色、黄色、緑色等の各種の光を発生させるＬＥＤ（発光ダイオード）を用いる。また、発光体２は、図２に示すように、脚８等を介して所定の高さに設置されている。さらに、発光体２は、ソーラーパネル１に対して、１個の発光体２が接続されるものであっても良いし、また、図１に示すように、ソーラーパネル１に複数の発光体２が接続されるものであっても良い。このとき、ソーラーパネル１を、例えば、縦横の長さを約１０ｃｍの大きさに形成したときには、例えば、４個の発光体２を長時間点灯させるのに好ましいものとなる。さらに、ＬＥＤ（発光ダイオード）である発光体２のいずれか一つには、図２に示すように、周辺の照度を感知するセンサー９が備えられている。
【００２２】
尚、発光体２は、ＬＥＤ（発光ダイオード）に限定されることはなく、例えば、色ガラス付の電球や白色蛍光灯等を用いても良い。また、発光体２として、バイメタルランプ等の点滅可能なものを用いても良い。さらに、１つの発光体２として、複数のＬＥＤ（発光ダイオード）を用いても良い。
【００２３】
また、図１に示す発光体２は、園芸用の敷地をライトアップするのに用いられているが、これに限定されることはない。例えば、屋外や屋内等において、クリスマスイルミネーションとして発光体２を用いることもできる。この他、発光体２が、玄関の表札等を照らすものであっても良い。また、車庫内や物置内等に発光体２を設置し、通常の照明として用いることも可能である。
【００２４】
【発明の効果】
本発明に係るソーラー式家庭用ライトは、太陽の光を受けて発電するソーラーパネル１と、このソーラーパネル１で発電された電力により点灯する発光体２を備え、ソーラーパネル１と発光体２とを別体に構成したことから、例えば、発光体２が発する光の照射方向を、自由に変えることができる。
【００２５】
すなわち、発光体２は、それ自身の構成のみで存在し、発光体２が発する光を遮る障害物が全く存在しないことから、特に、上方に向けての光の照射が可能となる。その結果、例えば、図１に示すように、発光体２を園芸用の敷地に設置したときには、個々の発光体２により様々な角度で植物Ｆに光を当てることで、園芸用の敷地を個性的にライトアップすることができる。また、車庫内や物置内等の床面に発光体２を設置したときには、車庫内や物置内等に入って来た者の足元を充分な明るさで照らすことができる。
【００２６】
さらに、ソーラーパネル１と発光体２とを別体に構成するため、発光体２の小型化を実現している。その結果、例えば、植物Ｆの中にもぐり込ませるように発光体２を設置し、植物Ｆ群の中から光を照射して、園芸用の敷地をきれいにライトアップすることができる。
【００２７】
また、ソーラーパネル１は、発電された電力を蓄える蓄電池を備えているので、例えば、ソーラーパネル１が太陽の光を受けることのできる昼間に、電力を充分に蓄えることができる。その結果、夜間等において、発光体２を長時間点灯させることができる。
【００２８】
加えて、ソーラーパネル１が、周辺の照度を感知するセンサー４を備えているときは、ソーラーパネル１が太陽の日没等を感知し、発光体２を自動的に点灯させる。このとき、発光体２が複数存在するときは、発光体２の全てを、一斉に点灯させることも可能である。
【００２９】
この他、ソーラーパネル１は、発光体２の点灯を制御する制御ユニット５を備えていることから、例えば、複数の発光体２を一斉に点灯させる点灯開始時刻等を、自由に設定することができる。また、複数の発光体２において、発光体２を個別に点灯させることも可能である。さらに、複数の発光体２において、点灯の明るさ、点灯時間等を、個別に設定することもできる。
【００３０】
尚、発光体２を、車庫内や物置内等の上方に設置したときは、通常のＯＮ・ＯＦＦスイッチ等を用いて発光体２を点灯させることも可能である。
【００３１】
加えて、発光体２がＬＥＤ（発光ダイオード）であるときは、ソーラー式家庭用ライトの省電力化を図ることができる。その結果、ソーラーパネル１が僅かな時間しか太陽の光を受けることができなかった場合であっても、発光体２であるＬＥＤ（発光ダイオード）を、長時間点灯できる。また、発光体２がＬＥＤ（発光ダイオード）であるときは、発光体２自身を極めて小さく形成できる。そのため、発光体２を、狭い場所にも容易に設置することができる。
【００３２】
さらに、発光体２のいずれか一つに、周辺の照度を感知するセンサー９を備えているときは、複数の発光体２において、その設置された場所の照度を発光体２自身で感知し、点灯を開始することができる。
【００３３】
上述した様に、本発明に係るソーラー式家庭用ライトは、ソーラーパネル１と発光体２とを、別体に構成したことに特徴を有している。そのため、昼夜を問わず太陽の光が全く届かない場所に発光体２を設置たときであっても、この発光体２をソーラーパネル１により点灯させることが可能となり、ソーラー式家庭用ライトの利用分野を飛躍的に拡げるものである。
【図面の簡単な説明】
【図１】本発明に係るソーラー式家庭用ライトの一実施の形態を示したもので、園芸用のフェンスの手摺にソーラーパネルを固定し、複数の発光体により植物を照らしている使用状態の斜視図である。
【図２】園芸用のフェンスの手摺にソーラーパネルを固定し、発光体により植物を照らしている使用状態の側断面図である。
【図３】従来のソーラー式ライトの構成を示した分解斜視図である。
【符号の説明】
Ｐ…フェンス
１…ソーラーパネル
２…発光体
３…電線
４…センサー
５…制御ユニット
６…フレキシブルアーム
７…スタンド部材
８…脚
９…センサー
１００…スタンド部材
１０１…雄ネジ部
１０２…ライト
１０３…点灯ガラス面
１０４ａ…傘
１０４ｂ…傘
１０４ｃ…傘
１０５…雌ネジ孔
１０６…ソーラーパネル
【図１】
2004022421.tif 000003
【図２】
2004022421.tif 000004
【図３】
2004022421.tif 000005